Podtech/llm-jp-corpus-v4-ja_patent huggingface dataset:
【手続補正書】
【提出日】平成20年4月10日(2008.4.10)
【手続補正１】
【補正対象書類名】明細書
【補正対象項目名】発明の名称
【補正方法】変更
【補正の内容】
【発明の名称】検査装置及び検査方法
【手続補正２】
【補正対象書類名】明細書
【補正対象項目名】特許請求の範囲
【補正方法】変更
【補正の内容】
【特許請求の範囲】
【請求項１】
半導体素子と、前記半導体素子に電気的に接続された画素電極と、を有する素子基板の検査装置であって、
対向検出電極を有し、前記素子基板の上方に配置される対向検出基板と、
前記対向検出基板の上方に配置される電磁波源と、を有し、
前記電磁波源は、前記対向検出電極と前記画素電極との間の気体を電離させるものであることを特徴とする検査装置。
【請求項２】
第１の半導体素子と、前記第１の半導体素子に電気的に接続された画素電極と、を有する素子基板の検査装置であって、
第２の半導体素子と、前記第２の半導体素子に電気的に接続された対向検出電極と、を有し、前記素子基板の上方に配置される対向検出基板と、
前記対向検出基板の上方に配置される電磁波源と、を有し、
前記電磁波源は、前記対向検出電極と前記画素電極との間の気体を電離させるものであることを特徴とする検査装置。
【請求項３】
半導体素子と、前記半導体素子に電気的に接続された画素電極と、を有する素子基板の検査装置であって、
対向検出電極を有し、前記素子基板の上方に配置される対向検出基板と、
開口部を有し、前記対向検出基板の上方に配置される遮蔽板と、
前記遮蔽板の前記上方に配置される電磁波源と、を有し、
前記電磁波源は、前記対向検出電極と前記画素電極との間の気体を電離させるものであり、
前記遮蔽板の材料は、前記電磁波源から発生される電磁波を遮蔽する材料からなることを特徴とする検査装置。
【請求項４】
請求項１乃至請求項３のいずれか一項において、
前記対向検出電極は、ストライプ状であることを特徴とする検査装置。
【請求項５】
請求項１乃至請求項３のいずれか一項において、
前記対向検出電極は、メッシュ状であることを特徴とする検査装置。
【請求項６】
半導体素子と、前記半導体素子に電気的に接続された画素電極と、を有する素子基板の検査装置であって、
対向検出電極を有し、前記素子基板の上方に配置される対向検出基板と、
前記対向検出基板の上方に配置される集光手段と、
前記集光手段の上方に配置される電磁波源と、を有し、
前記電磁波源は、前記対向検出電極と前記画素電極との間の気体を電離させるものであり、
前記集光手段は、前記電磁波源から発生される電磁波を前記対向検出電極に集める手段であることを特徴とする検査装置。
【請求項７】
請求項６において、
前記対向検出電極は、リング状であることを特徴とする検査装置。
【請求項８】
請求項１乃至請求項７のいずれか一項において、
前記電磁波源は、軟Ｘ線を発生させる電磁波源であり、
前記対向検出電極は、ベリリウムからなることを特徴とする検査装置。
【請求項９】
請求項１乃至請求項７のいずれか一項において、
前記電磁波源は、軟Ｘ線を発生させる電磁波源であり、
前記対向検出電極は、アルミニウムからなることを特徴とする検査装置。
【請求項１０】
半導体素子と、前記半導体素子に電気的に接続された画素電極と、を有する素子基板の検査方法であって、
前記画素電極の上方に対向して設けられた対向検出電極の上方から、電磁波を照射することによって、前記画素電極と前記対向検出電極の間の気体を電離させて、前記画素電極と前記検出対向電極とを通電状態とし、
前記半導体素子をオン又はオフにした状態において、前記対向検出電極から電流計に入力される電流の値を計測することを特徴とする検査方法。
【請求項１１】
請求項１０において、
前記対向検出電極の上方に配置された遮蔽板に設けられた開口部を介して選択的に前記電磁波を照射することを特徴とする検査方法。
【請求項１２】
請求項１０において、
前記対向検出電極の上方に配置された集光手段を用いて選択的に前記電磁波を照射することを特徴とする検査方法。
【請求項１３】
第１の半導体素子と、前記第１の半導体素子に電気的に接続された画素電極と、を有する素子基板の検査方法であって、
前記画素電極の上方に対向して設けられた対向検出電極の上方から、電磁波を照射することによって、前記画素電極と前記対向検出電極の間の気体を電離させて、前記画素電極と前記対向検出電極とを通電状態とし、
前記対向検出電極と電気的に接続された第２の半導体素子をオンにした状態であって、前記第１の半導体素子をオン又はオフにした状態において、前記対向検出電極から電流計に入力される電流の値を計測することを特徴とする検査方法。
【請求項１４】
請求項１０乃至請求項１３のいずれか一項において、
前記電磁波は、軟Ｘ線であり、
前記対向検出電極は、ベリリウムからなることを特徴とする検査方法。
【請求項１５】
請求項１０乃至請求項１３のいずれか一項において、
前記電磁波は、軟Ｘ線であり、
前記対向検出電極は、アルミニウムからなることを特徴とする検査方法。
【手続補正書】
【提出日】平成20年8月1日(2008.8.1)
【手続補正１】
【補正対象書類名】明細書
【補正対象項目名】発明の名称
【補正方法】変更
【補正の内容】
【発明の名称】半導体装置
【手続補正２】
【補正対象書類名】明細書
【補正対象項目名】特許請求の範囲
【補正方法】変更
【補正の内容】
【特許請求の範囲】
【請求項１】
発光素子に電流を供給するためのトランジスタを画素に有する半導体装置であって、
前記画素は、ｎビット（ｎは自然数、２≦ｎ）のデジタル映像信号をｍフレーム分（ｍは自然数、１≦ｍ）記憶するｎ×ｍ個の記憶回路を有することを特徴とする半導体装置。
【手続補正書】
【提出日】平成20年6月27日(2008.6.27)
【手続補正１】
【補正対象書類名】明細書
【補正対象項目名】発明の名称
【補正方法】変更
【補正の内容】
【発明の名称】表示装置及びその駆動方法、並びに電子機器
【手続補正２】
【補正対象書類名】明細書
【補正対象項目名】特許請求の範囲
【補正方法】変更
【補正の内容】
【特許請求の範囲】
【請求項１】
画素部に設けられた第１のＥＬ素子と、第２のＥＬ素子と、互いに異なる値の一定の電流を出力するｎ（ｎは、２以上の自然数）個の定電流源と、前記ｎ個の定電流源のうちの１つを選択するスイッチとを有し、
前記第１のＥＬ素子及び前記第２のＥＬ素子それぞれは、第１の電極と、第２の電極と、前記第１の電極及び前記第２の電極の間に設けられたＥＬ層とを有し、
前記第２のＥＬ素子の第１の電極は、前記スイッチを介して前記ｎ個の定電流源のうちの１つと電気的に接続され、
前記第２のＥＬ素子の第１の電極の電位に応じた電位が、前記第１のＥＬ素子の第１の電極に与えられることを特徴とする表示装置。
【請求項２】
画素部に設けられた第１のＥＬ素子と、第２のＥＬ素子と、互いに同じ値の一定の電流を出力するｎ（ｎは、２以上の自然数）個の定電流源と、前記ｎ個の定電流源のうちの少なくとも１つを選択するスイッチとを有し、
前記第１のＥＬ素子及び前記第２のＥＬ素子それぞれは、第１の電極と、第２の電極と、前記第１の電極及び前記第２の電極の間に設けられたＥＬ層とを有し、
前記第２のＥＬ素子の第１の電極が、前記スイッチを介して前記ｎ個の定電流源のうちのｍ（ｍは、ｎ以下の自然数）個と電気的に接続される期間と、前記スイッチを介して前記ｎ個の定電流源のうちのｋ（ｋは、ｍとは異なるｎ以下の自然数）個と電気的に接続される期間とを有し、
前記第２のＥＬ素子の第１の電極の電位に応じた電位が、前記第１のＥＬ素子の第１の電極に与えられることを特徴とする表示装置。
【請求項３】
請求項１において、
前記ｎ個の定電流源それぞれから出力される電流値の比は、２０：２−１：２−２：・・・：２−（ｎ−２）：２−（ｎ−１）を満たすことを特徴とする表示装置。
【請求項４】
請求項１乃至３のいずれか一において、
前記第２のＥＬ素子の第１の電極の電位に応じた電位が、バッファアンプを介して前記第１のＥＬ素子の第１の電極に与えられることを特徴とする表示装置。
【請求項５】
請求項１乃至３のいずれか一において、
前記第２のＥＬ素子の第１の電極の電位に応じた電位が、バッファアンプ及び薄膜トランジスタを介して前記第１のＥＬ素子の第１の電極に与えられることを特徴とする表示装置。
【請求項６】
請求項１乃至５のいずれか一において、
前記第１のＥＬ素子の第２の電極と前記第２のＥＬ素子の第２の電極とは、互いに同じ電位が与えられていることを特徴とする表示装置。
【請求項７】
請求項１乃至６のいずれか一に記載の表示装置を表示部に用いた電子機器。
【請求項８】
請求項７において、
前記電子機器は、ビデオカメラ、デジタルカメラ、ヘッドマウントディスプレイ、ゲーム機、カーナビゲーション、パーソナルコンピュータ、携帯情報端末、モバイルコンピュータ、携帯電話、電子書籍、または画像再生装置であることを特徴とする電子機器。
【請求項９】
画素部に設けられた第１のＥＬ素子と、第２のＥＬ素子と、互いに異なる値の一定の電流を出力するｎ（ｎは、２以上の自然数）個の定電流源と、前記ｎ個の定電流源のうちの１つを選択するスイッチとを有し、
前記第１のＥＬ素子及び前記第２のＥＬ素子それぞれは、第１の電極と、第２の電極と、前記第１の電極及び前記第２の電極の間に設けられたＥＬ層とを有する表示装置の駆動方法であって、
１フレーム期間を、書き込み期間及び表示期間を有するｎ個のサブフレーム期間に分割し、
前記ｎ個のサブフレーム期間それぞれの書き込み期間において、前記ｎ個の定電流源のうち互いに異なる１つと前記第２のＥＬ素子の第１の電極とを前記スイッチを介して電気的に接続し、
前記第２のＥＬ素子の第１の電極の電位に応じた電位を、前記第１のＥＬ素子の第１の電極に与えることを特徴とする表示装置の駆動方法。
【請求項１０】
画素部に設けられた第１のＥＬ素子と、第２のＥＬ素子と、互いに同じ値の一定の電流を出力するｎ（ｎは、２以上の自然数）個の定電流源と、前記ｎ個の定電流源のうちの少なくとも１つを選択するスイッチとを有し、
前記第１のＥＬ素子及び前記第２のＥＬ素子それぞれは、第１の電極と、第２の電極と、前記第１の電極及び前記第２の電極の間に設けられたＥＬ層とを有する表示装置の駆動方法であって、
１フレーム期間を、書き込み期間及び表示期間を有するｎ個のサブフレーム期間に分割し、
前記ｎ個のサブフレーム期間それぞれの書き込み期間において、前記ｎ個の定電流源のうち互いに異なるｘ（ｘは、ｎ以下の自然数）個と前記第２のＥＬ素子の第１の電極とを前記スイッチを介して電気的に接続し、
前記第２のＥＬ素子の第１の電極の電位に応じた電位を、前記第１のＥＬ素子の第１の電極に与えることを特徴とする表示装置の駆動方法。
【請求項１１】
画素部に設けられた第１のＥＬ素子と、第２のＥＬ素子と、互いに異なる値の一定の電流を出力するｙ（ｙは、ｎ以下の自然数）個の定電流源と、前記ｙ個の定電流源のうちの１つを選択するスイッチとを有し、
前記第１のＥＬ素子及び前記第２のＥＬ素子それぞれは、第１の電極と、第２の電極と、前記第１の電極及び前記第２の電極の間に設けられたＥＬ層とを有する表示装置の駆動方法であって、
１フレーム期間を、書き込み期間及び表示期間を有するｎ（ｎは、２以上の自然数）個のサブフレーム期間に分割し、
前記ｎ個のサブフレーム期間それぞれの書き込み期間において、前記ｙ個の定電流源のうちの１つと前記第２のＥＬ素子の第１の電極とを前記スイッチを介して電気的に接続し、
前記ｎ個のサブフレーム期間のうち複数のサブフレーム期間で同じ定電流源が選択されているとき、当該複数のサブフレーム期間それぞれの表示期間の長さを互いに異ならせ、
前記第２のＥＬ素子の第１の電極の電位に応じた電位を、前記第１のＥＬ素子の第１の電極に与えることを特徴とする表示装置の駆動方法。
【請求項１２】
請求項９において、
前記ｎ個の定電流源それぞれから出力される電流値の比は、２０：２−１：２−２：・・・：２−（ｎ−２）：２−（ｎ−１）を満たすことを特徴とする表示装置の駆動方法。
【請求項１３】
請求項９において、
前記ｎ個のサブフレーム期間それぞれの書き込み期間は互いに等しく、前記ｎ個のサブフレーム期間それぞれの表示期間は互いに等しいことを特徴とする表示装置の駆動方法。
【請求項１４】
請求項９乃至１３のいずれか一において、
前記第１のＥＬ素子の第２の電極と前記第２のＥＬ素子の第２の電極とに、互いに同じ電位を与えることを特徴とする表示装置の駆動方法。
【手続補正書】
【提出日】平成20年6月2日(2008.6.2)
【手続補正１】
【補正対象書類名】明細書
【補正対象項目名】特許請求の範囲
【補正方法】変更
【補正の内容】
【特許請求の範囲】
【請求項１】  視聴覚情報再生システム（１）と少なくとも１つの電子ゲーム機（２）との間の通信装置であって、各電子ゲーム機は、視覚手段（２００）と、ユーザと対話するための手段（２１０）と、支払い手段（２２０）とを備えており、各電子ゲーム機（２）が、ネットワークインタフェース（２３）および関連するＬＡＮ（３）を介して再生システム（１）に接続され、再生システムで再生する目的で、再生システム（１）に記憶されている少なくとも１つの曲の選択および支払いを電子ゲーム機（２）で可能にするために、支払い手段を管理するための固有手段（２２）と、視覚手段および対話手段を管理するための固有手段（２１）とを備え、支払い手段を管理するための固有手段（２２）と、視覚手段および対話手段を管理するための固有手段（２１）とが、電子ゲーム機（２）の起動手段によって始動されることを特徴とする、視聴覚情報再生システム（１）と少なくとも１つの電子ゲーム機（２）との間の通信装置。
【請求項２】  再生システム（１）が、各電子ゲーム機（２）の通信インタフェース（２３）と通信する手段（１１）と、各電子ゲーム機（２）から入来するメッセージを管理するための固有モジュール（１０）とを備えることを特徴とする、請求項１に記載の通信装置。
【請求項３】  各電子ゲーム機（２）が、再生システム（１）での区別を可能にする識別手段を備えることを特徴とする、請求項１または２に記載の通信装置。
【請求項４】  再生システム（１）が、遠隔集中型サーバ（５）と通信する手段（１３）を備えることを特徴とする、請求項１から３のいずれか一項に記載の通信装置。
【請求項５】  各電子ゲーム機（２）が、電子ゲーム機の使用に関する情報を記憶することを可能にする記憶手段を備えることを特徴とする、請求項１から４のいずれか一項に記載の通信装置。
【請求項６】  支払い手段を管理する固有手段（２２）が、第１にユーザによって電子ゲーム機（２）に挿入された金額から、第２に固有管理手段（２０、２１、２２）を始動する前に、ゲーム機（２）に挿入された残りの金額から、第３に固有管理手段（２０、２１、２２）を始動する前に累積されたポイント数から、歌に支払うために利用可能な金額を計算する手段を備えることを特徴とする、請求項１から４のいずれか一項に記載の通信装置。
【請求項７】  視聴覚情報再生システム（１）と少なくとも１つの電子ゲーム機（２）との間の通信方法であって、各電子ゲーム機（２）が、視覚手段（２１０）、ユーザと対話するための手段（２１１）、および支払い手段（２２０）を備え、再生システム（１）が、ＬＡＮ（３）を介して各電子ゲーム機（２）に接続されており、
電子ゲーム機（２）の本来の動作モードを以下のステップを実施するモードに変更するために、電子ゲーム機（２）の固有管理手段を起動するステップ（３０１）と、
再生システムと電子ゲーム機との間の接続をセットアップするステップ（３０２）と、
再生システムから電子ゲーム機に、グラフィックダイアログスクリーンを転送し、曲の選択を行うかまたは支払いステップを開始するようにユーザを促すステップ（３０３、３０４）、と、
１つの曲を選択するステップ（３０８）と、
選択した曲について支払うステップ（３１５）と、
選択した曲を再生システム（１）によって再生するステップとを含む、ことを特徴とする視聴覚情報再生システム（１）と少なくとも１つの電子ゲーム機（２）との間の通信方法。
【請求項８】  支払いステップが、
ゲーム機によって使用されていない残りの金額と、ユーザによってゲーム機の支払い手段に挿入された金額の合計から、利用可能な金額を計算するステップと、
選択される曲の数を決定するために、ユーザが支払い規則を選択し認可するステップとを含むことを特徴とする、請求項７に記載の通信方法。
【請求項９】  計算ステップが、本来の動作により、ゲーム機の使用中に、累積したゲームのポイント数を利用可能な金額に変換するステップを含むことを特徴とする、請求項８に記載の通信方法。
【請求項１０】  少なくとも１つの所与の電子ゲーム機（２）に関する更新情報を、遠隔サーバ（５）から、ＷＡＮを介してサーバに接続されている再生システムに転送するステップと、
再生システムと各所与の電子ゲーム機（２）との間に接続をセットアップするステップと、
各所与の電子ゲーム機（２）に関する更新情報を送信するステップとを含む、少なくとも１つの電子ゲーム機（２）を更新するステップを含むことを特徴とする、請求項７から９のいずれか一項に記載の通信方法。
【請求項１１】  使用に関する情報を各電子ゲーム機（２）に記憶するステップと、
電子ゲーム機（２）の使用に関する情報を再生システムに転送し、次いで再生システムから、ＷＡＮを介して再生システムが接続されている遠隔サーバ（５）に転送するステップとを含むことを特徴とする、請求項７から１０のいずれか一項に記載の通信方法。
【手続補正書】
【提出日】平成20年8月21日(2008.8.21)
【手続補正１】
【補正対象書類名】明細書
【補正対象項目名】特許請求の範囲
【補正方法】変更
【補正の内容】
【特許請求の範囲】
【請求項１】  光源と前記光源から出射された光ビームを表面で反射するビームスプリッターと前記ビームスプリッターにより反射された光ビームの発散度を変えるコリメートレンズと、前記コリメートレンズによって発散度を変更された前記光ビームを情報記録媒体上に集光させる集光手段と、前記情報記録媒体で反射し前記ビームスプリッターを透過した光ビームを検出する光検出器と、前記ビームスプリッターと前記検出器の間に設けられた非点収差付与手段とからなる光ヘッド装置であって、
前記ビームスプリッターは一対の平行な面をもつ平行平板形状であってその平面の法線１は前記コリメートレンズの光軸に対して傾きを持ち、
前記非点収差付与手段も、一対の平行な面をもつ平行平板形状であってその平面の法線２は前記法線１と前記コリメートレンズの光軸が成す平面に含まれない方向を向いており、
前記非点収差付与手段は、前記ビームスプリッターで発生する非点収差の方向と異なる方向の非点収差を付与するレンズ作用の無い光学素子であることを特徴とする光ヘッド装置。
【請求項２】  光源と前記光源から出射された光ビームを表面で反射するビームスプリッターと前記ビームスプリッターにより反射された光ビームの発散度を変えるコリメートレンズと、前記コリメートレンズによって発散度を変更された前記光ビームを情報記録媒体上に集光させる集光手段と、前記情報記録媒体で反射し前記ビームスプリッターを透過した光ビームを検出する光検出器と、前記ビームスプリッターと前記検出器の間に設けられた非点収差付与手段とからなる光ヘッド装置であって、
前記ビームスプリッターは一対の平行な面をもつ平行平板形状であってその平面の法線１は前記コリメートレンズの光軸に対して傾きを持ち、
前記非点収差付与手段も、複数の平行平板から成り、前記複数の平行平板の法線は前記法線１と前記コリメートレンズの光軸が成す平面に含まれない方向を向いており、
前記非点収差付与手段は、前記ビームスプリッターで発生する非点収差の方向と異なる方向の非点収差を付与するレンズ作用の無い光学素子であることを特徴とする光ヘッド装置。
【請求項３】  光源と前記光源から出射された光ビームを表面で反射するビームスプリッターと前記ビームスプリッターにより反射された光ビームの発散度を変えるコリメートレンズと、前記コリメートレンズによって発散度を変更された前記光ビームを情報記録媒体上に集光させる集光手段と、前記情報記録媒体で反射し前記ビームスプリッターを透過した光ビームを検出する光検出器と、前記ビームスプリッターと前記検出器の間に設けられた非点収差付与手段とからなる光ヘッド装置であって、
前記ビームスプリッターは一対の平行な面をもつ平行平板形状であってその平面の法線１は前記コリメートレンズの光軸に対して傾きを持ち、
前記非点収差付与手段は、くさび形プリズムから成り、前記くさび形プリズムの一面の法線は前記法線１と前記コリメートレンズの光軸が成す平面に含まれない方向を向いており、
前記非点収差付与手段は、前記ビームスプリッターで発生する非点収差の方向と異なる方向の非点収差を付与するレンズ作用の無い光学素子であることを特徴とする光ヘッド装置。
【請求項４】光情報媒体と前記情報媒体の駆動機構と、請求項１から３記載のいずれかの光ヘッド装置と、前記光ヘッド装置より得られるフォーカスエラー信号とフォーカスサーボ機構と前記サーボ機構を実現するための電気回路とを少なくとも有する光情報処理装置。
【手続補正書】
【提出日】平成20年7月9日(2008.7.9)
【手続補正１】
【補正対象書類名】明細書
【補正対象項目名】特許請求の範囲
【補正方法】変更
【補正の内容】
【特許請求の範囲】
【請求項１】
複数の情報コンテントを記憶するコンテント記憶手段と、
受信者が希望する情報コンテントのトピック、優先度を有する複数の領域から構成される前記受信者が希望するレイアウト、前記情報コンテントの配信スケジュール、および前記情報コンテントの配信先を含む前記受信者のプリファランスの登録を受け付けるプリファランス登録手段と、
前記登録されたプリファランスに含まれる情報コンテントのトピックに基づいて、前記コンテント記憶手段のなかから情報コンテントを検索するコンテント検索手段と、
前記検索された情報コンテントの前記受信者の興味度合いを算出する興味度合い算出手段と、
前記登録されたプリファランスに含まれるレイアウトに基づいて、前記複数の領域のうちの前記優先度が最も高い領域に対して、前記検索された情報コンテントのうちの前記興味度合いが最も大きい情報コンテントが割り当てられるように、前記検索された情報コンテントのレイアウトを行うレイアウト手段と、
前記レイアウトが行われた情報コンテントを、前記登録されたプリファランスに含まれる配信スケジュールにしたがって、前記登録されたプリファランスに含まれる配信先に対して送信するコンテント送信手段と、
を有する情報送信装置。
【請求項２】
請求項１に記載の情報送信装置であって、
前記プリファランスは、前記受信者が希望する第１言語、および前記第１言語とは異なる第２言語の前記受信者の堪能度を含み、
前記情報送信装置は、前記第２言語の単語と当該単語の前記第１言語による定義と堪能度とを対応付けた辞書を記憶する辞書記憶手段、
を有し、
前記レイアウト手段は、前記検索された情報コンテントのうちの前記第２言語で記述された情報コンテントに含まれる単語のうち、前記辞書記憶手段において前記受信者の堪能度よりも高い堪能度と対応付けられた単語について、前記第１言語による定義を含めて前記第２言語で記述された情報コンテントのレイアウトを行う、
情報送信装置。
【請求項３】
請求項１または請求項２に記載の情報送信装置であって、
前記プリファランスは、前記受信者が希望する情報コンテントのサブトピック、および、キーワードを含み、
前記コンテント検索手段は、前記トピック、前記サブトピックおよび前記キーワードに基づいて、前記コンテント記憶手段のなかから情報コンテントを検索し、
前記興味度合い算出手段は、前記検索された情報コンテントに出現する前記キーワードの頻度に基づいて前記興味度合いを算出する、
情報送信装置。
【請求項４】
請求項１または請求項２に記載の情報送信装置であって、
前記プリファランスは、前記受信者が希望する情報コンテントのサブトピック、および、キーワードを含み、
前記コンテント検索手段は、前記トピック、前記サブトピックおよび前記キーワードに基づいて、前記コンテント記憶手段のなかから情報コンテントを検索し、
前記興味度合い算出手段は、前記検索された情報コンテントに出現する前記キーワードの出現位置に基づいて前記興味度合いを算出する、
情報送信装置。
【請求項５】
複数の情報コンテントを記憶するコンテントサーバと通信可能な情報送信装置であって、
受信者が希望する情報コンテントのトピック、優先度を有する複数の領域から構成される前記受信者が希望するレイアウト、前記情報コンテントの配信スケジュール、および前記情報コンテントの配信先を含む前記受信者のプリファランスの登録を受け付けるプリファランス登録手段と、
前記登録されたプリファランスに含まれる情報コンテントのトピックに基づいて、前記コンテントサーバから情報コンテントを検索するコンテント検索手段と、
前記検索された情報コンテントの前記受信者の興味度合いを算出する興味度合い算出手段と、
前記登録されたプリファランスに含まれるレイアウトに基づいて、前記複数の領域のうちの前記優先度が最も高い領域に対して、前記検索された情報コンテントのうちの前記興味度合いが最も大きい情報コンテントが割り当てられるように、前記検索された情報コンテントのレイアウトを行うレイアウト手段と、
前記レイアウトが行われた情報コンテントを、前記登録されたプリファランスに含まれる配信スケジュールにしたがって、前記登録されたプリファランスに含まれる配信先に対して送信するコンテント送信手段と、
を有する情報送信装置。
【手続補正２】
【補正対象書類名】明細書
【補正対象項目名】発明の名称
【補正方法】変更
【補正の内容】
【発明の名称】情報送信装置
【手続補正書】
【提出日】平成20年2月7日(2008.2.7)
【手続補正１】
【補正対象書類名】明細書
【補正対象項目名】請求項１
【補正方法】変更
【補正の内容】
【請求項１】      
平板状のクッション素材を折り曲げ部で折り曲げて、３つのクッション壁が折り曲げ部を介してほぼ直角に連結されてなり、物品の角部に当て付けられるコーナクッション材であって、
前記クッション素材は、クッション原材に前記折り曲げ部が形成されたものであり、
前記クッション原材は、波形板の目の方向と直交する方向に表面と裏面を持つ平板状の段ボール板材の表裏面に紙材からなるシートが接合されてなるコーナクッション材。
【手続補正書】
【提出日】平成20年8月19日(2008.8.19)
【手続補正１】
【補正対象書類名】特許請求の範囲
【補正対象項目名】全文
【補正方法】変更
【補正の内容】
【特許請求の範囲】
【請求項１】
発光素子と、
第１及び第２のトランジスタと、
前記発光素子に順方向のバイアス電圧を印加するための第１の経路と、
前記発光素子に逆方向のバイアス電圧を印加するための第２の経路とを有し、
前記第１の経路に前記第１のトランジスタを有し、
前記第２の経路に前記第２のトランジスタを有する表示装置であって、
前記表示装置が第１の駆動回路に電気的に接続されたとき、前記第２のトランジスタをオンとして、前記第２の経路を介して前記発光素子に逆方向のバイアス電圧が印加され、
前記表示装置が第２の駆動回路に電気的に接続されたとき、前記第２のトランジスタをオフとして、前記第１のトランジスタ、及び前記第１の経路を介して前記発光素子に順方向のバイアス電圧が印加されることを特徴とする表示装置。
【請求項２】
発光素子と、
第１乃至第３のトランジスタと、
前記発光素子に順方向のバイアス電圧を印加するための第１の経路と、
前記発光素子に逆方向のバイアス電圧を印加するための第２の経路とを有し、
前記第１の経路に前記第１のトランジスタを有し、
前記第２の経路に前記第２のトランジスタを有する表示装置であって、
前記第１のトランジスタのゲートは、前記第３のトランジスタのソース及びドレインの一方と電気的に接続され、
前記第１のトランジスタのソース及びドレインの一方は、電源線と電気的に接続され、他方は前記発光素子の画素電極と電気的に接続され、
前記第２のトランジスタのゲートは、前記電源線と電気的に接続され、
前記第２のトランジスタのソース及びドレインの一方は、電流引き込み線と電気的に接続され、他方は前記画素電極と電気的に接続され、
前記第３のトランジスタのゲートは、ゲート信号線と電気的に接続され、
前記第３のトランジスタのソース及びドレインの他方は、ソース信号線と電気的に接続され、
前記表示装置が第１の駆動回路に電気的に接続されたとき、前記第２のトランジスタをオンとして、前記第２の経路を介して前記発光素子に逆方向のバイアス電圧が印加され、
前記表示装置が第２の駆動回路に電気的に接続されたとき、前記第２のトランジスタをオフとして、前記第３のトランジスタを介して前記第１のトランジスタのゲートに信号が入力され、前記信号に基づき、前記第１のトランジスタ及び前記第１の経路を介して前記発光素子に順方向のバイアス電圧が印加されることを特徴とする表示装置。
【請求項３】
請求項１又は請求項２において、
前記第１の駆動回路は、前記発光素子に逆方向のバイアス電圧を印加するための電源回路と周辺回路とを有し、
前記第２の駆動回路は、外部より入力される映像信号に基づき、前記発光素子に順方向のバイアス電圧を印加するための電源回路と周辺回路とを有することを特徴とする表示装置。
【請求項４】
請求項１乃至請求項３のいずれか一において、
前記第１のトランジスタと、前記第２のトランジスタとは同一極性であることを特徴とする表示装置。
【請求項５】
請求項１乃至請求項４のいずれか一において、
前記第１のトランジスタは、そのチャネル幅に対するチャネル長の比を１：Ｘとしたとき、５≦Ｘであることを特徴とする表示装置。
【請求項６】
請求項１乃至請求項５のいずれか一において、
前記第２のトランジスタは、そのチャネル長がチャネル幅と同じかそれより短いことを特徴とする表示装置。
【請求項７】
請求項１乃至請求項６のいずれか一に記載の表示装置と、前記第２の駆動回路とを具備したことを特徴とする電子機器。
【手続補正書】
【提出日】平成20年7月31日(2008.7.31)
【手続補正１】
【補正対象書類名】特許請求の範囲
【補正対象項目名】全文
【補正方法】変更
【補正の内容】
【特許請求の範囲】
【請求項１】
像担持体上に当接し、前記像担持体上のトナーを除去する板状ブレードと、前記ブレードを支持する支持部材と、を有するクリーニング装置において、
前記ブレードは、前記像担持体に当接する面とは逆側の面を前記支持部材によって支持されており、前記ブレードの前記支持部材とのつけ根部分を前記像担持体に当接する面とは逆側から支持する弾性部材を有し、前記弾性部材は、前記支持部材の先端部に接着剤を介して接着されていることを特徴とするクリーニング装置。
【請求項２】
前記弾性部材の前記ブレードとの接触面の自由長方向の長さをＬ（ｍｍ）とし、前記弾性部材のヤング率をＹ（ＭＰａ）としたとき、
−０．０３３Ｙ＋０．５≦Ｌ≦−０．０５５Ｙ＋１．６且つ３≦Ｙ≦１２
の関係を有することを特徴とする請求項１記載のクリーニング装置。
【請求項３】
前記弾性部材のブレード厚み方向の厚みをＢ（ｍｍ）としたとき、
１．６≦Ｂ≦２．５
であることを特徴とする請求項１又は２記載のクリーニング装置。
【請求項４】
前記支持部材は、前記弾性部材により前記ブレードと対向する面とは逆側の面まで覆われていることを特徴とする請求項１〜３の何れかに記載のクリーニング装置。
【請求項５】
前記弾性部材は、前記ブレードと同材質であることを特徴とする請求項１〜４の何れかに記載のクリーニング装置。
【請求項６】
前記ブレードの自由長は、３ｍｍ以上１５ｍｍ以下であることを特徴とする請求項１〜５の何れかに記載のクリーニング装置。
【請求項７】
前記ブレードの厚みは、１．５ｍｍ以上４ｍｍ以下であることを特徴とする請求項１〜６の何れかに記載のクリーニング装置。
【請求項８】
像担持体上のトナーを除去するブレードと、前記ブレードを支持する支持部材と、を有するクリーニング装置において、
前記ブレードは、前記像担持体に当接する面とは逆側の面を前記支持部材によって支持されており、前記ブレードは前記ブレードのつけ根部分に前記支持部材の先端部に向けて突部を有しており、前記突部は、前記支持部材に接着されており、
前記突部の前記ブレードの自由長方向の厚みをＴ（ｍｍ）とし、前記突部のヤング率をＹ（ＭＰａ）としたとき、
−０．０３３Ｙ＋０．５≦Ｔ≦−０．０５５Ｙ＋１．６且つ３≦Ｙ≦１２
の関係を有することを特徴とするクリーニング装置。
【請求項９】
前記突部のブレード厚み方向の長さをＢ（ｍｍ）としたとき、
１．６≦Ｂ≦２．５で
あることを特徴とする請求項８記載のクリーニング装置。
【請求項１０】
前記突部は、前記支持部材の前記ブレードと対向する面とは逆側の面まで設けられていることを特徴とする請求項８または９に記載のクリーニング装置。
【請求項１１】
前記突部は、前記ブレードと同材質であることを特徴とする請求項８〜１０の何れかに記載のクリーニング装置。
【請求項１２】
前記ブレードの自由長は、３ｍｍ以上１５ｍｍ以下であることを特徴とする請求項８〜１１の何れかに記載のクリーニング装置。
【請求項１３】
前記ブレードの厚みは、１．５ｍｍ以上４ｍｍ以下であることを特徴とする請求項８〜１２の何れかに記載のクリーニング装置。
【請求項１４】
前記ブレードは、接着剤を介さずに前記支持部材に接着されていることを特徴とする請求項８〜１３の何れかに記載のクリーニング装置。
【手続補正２】
【補正対象書類名】明細書
【補正対象項目名】００１４
【補正方法】削除
【補正の内容】
【手続補正３】
【補正対象書類名】明細書
【補正対象項目名】００１５
【補正方法】削除
【補正の内容】
【手続補正４】
【補正対象書類名】明細書
【補正対象項目名】００１６
【補正方法】削除
【補正の内容】
【手続補正５】
【補正対象書類名】明細書
【補正対象項目名】００１７
【補正方法】削除
【補正の内容】
【手続補正６】
【補正対象書類名】明細書
【補正対象項目名】００１８
【補正方法】削除
【補正の内容】
【手続補正７】
【補正対象書類名】明細書
【補正対象項目名】００１９
【補正方法】削除
【補正の内容】
【手続補正８】
【補正対象書類名】明細書
【補正対象項目名】００２０
【補正方法】削除
【補正の内容】
【手続補正９】
【補正対象書類名】明細書
【補正対象項目名】００２１
【補正方法】削除
【補正の内容】
【手続補正１０】
【補正対象書類名】明細書
【補正対象項目名】００２２
【補正方法】削除
【補正の内容】
【手続補正１１】
【補正対象書類名】明細書
【補正対象項目名】００２３
【補正方法】削除
【補正の内容】
【手続補正１２】
【補正対象書類名】明細書
【補正対象項目名】００２４
【補正方法】削除
【補正の内容】
【手続補正１３】
【補正対象書類名】明細書
【補正対象項目名】００２５
【補正方法】削除
【補正の内容】
【手続補正１４】
【補正対象書類名】明細書
【補正対象項目名】００２６
【補正方法】削除
【補正の内容】
【手続補正１５】
【補正対象書類名】明細書
【補正対象項目名】００２７
【補正方法】削除
【補正の内容】
【手続補正書】
【提出日】平成20年6月27日(2008.6.27)
【手続補正１】
【補正対象書類名】特許請求の範囲
【補正対象項目名】全文
【補正方法】変更
【補正の内容】
【特許請求の範囲】
【請求項１】
光カップラーであって、
上面、底面、第１の端面、第２の端面、および前記第１と第２の端面の間の長さを有し、前記上面および底面の間に配置された前記長さ方向に伸びたコアマテリアルのボディをさらに有し、前記コアマテリアルのボディと前記上面との間に配置されたクラッドマテリアルの第一の層をさらに有するエレメントと、
前記エレメントの前記底面に配置された第１のアタッチメント領域と、
前記第１のアタッチメント領域上に配置され、上面と前記上面に対応する底面を有する接着剤の第１の薄膜と、
前記コアマテリアルのボディから前記第１の薄膜の前記底面上の点までの距離と、
を有し、
前記コアマテリアルのボディは前記エレメントの前記底面に実質的に平行な方向に光を伝搬するよう構成され、
前記第１の薄膜の前記上面は前記第１のアタッチメント領域において前記エレメントの前記底面と隣接し、
前記コアマテリアルのボディがマルチモード光を伝搬するように構成されているとき、前記距離は１００μｍ以下であり、前記コアマテリアルのボディがシングルモード光を伝搬するように構成されているとき、前記距離は２０μｍ以下であることを特徴とする光カップラー。
【請求項２】
請求項１に記載の光カップラーであって、前記第１の薄膜の屈折率は前記コアマテリアルの屈折率より低いことを特徴とする光カップラー。
【請求項３】
請求項１に記載の光カップラーであって、前記エレメントは前記コアマテリアルのボディと前記エレメントの前記底面との間に配置されたクラッドマテリアルの第２の層を有することを特徴とする光カップラー。
【請求項４】
請求項１に記載の光カップラーであって、前記第１のアタッチメント領域は前記エレメントの長さ方向に少なくとも２ｍｍの長さを有していることを特徴とする光カップラー。
【請求項５】
請求項１に記載の光カップラーであって、
前記エレメントの上面に配置された光電子デバイスと、
前記エレメントの上面および底面の間に配置され、前記エレメントの前記コアマテリアルのボディと前記光電子デバイスとの間で光をカップリングするように位置づけられた反射部とをさらに有することを特徴とする光カップラー。
【請求項６】
光カップラーであって、
上面と底面を有するエレメントと、
前記上面と底面との間に配置されたコアマテリアルのボディと、
前記コアマテリアルのボディの少なくとも一部の周りに配置されたクラッドマテリアルとを有し、
前記コアマテリアルのボディは第１の端面と第２の端面を有し、一方の端面から他方の端面に光を搬送するように構成され、
前記第２の端面は前記底面より前記上面の近くにあり、前記上面に対して角度をなす方向に前記上面を通して光をカップリングするように位置決めされ、
前記コアマテリアルのボディは前記第２の端面より前記第１の端面の近くにある、前記エレメントの底面と実質的に平行な方向に光を搬送するため前記エレメントの底面に実質的に平行に配置された第１のセグメントをさらに有し、
前記コアマテリアルのボディは前記第２の端面と前記第１のセグメントの間にある第２のセグメントをさらに有し、
前記第１のセグメント中の前記コアマテリアルのボディから前記エレメントの底面までの距離は、前記コアマテリアルのボディがマルチモード光を搬送するように構成されているときは１００μｍ以下であり、前記コアマテリアルのボディがシングルモード光のみを搬送するように構成されているときは２０μｍ以下であることを特徴とする光カップラー。
【請求項７】
請求項６に記載の光カップラーであって、前記第１のセグメント中の前記コアマテリアルのボディから前記エレメントの底面までの距離に対する前記第１のセグメント領域の長さの割合は少なくとも２００であることを特徴とする光カップラー。
【請求項８】
光カップラーであって、
上面、底面、第１の端面、第２の端面、前記第１と第２の端面の間の長さを有し、前記上面と底面の間に配置された前記長さ方向に伸びたエレクトロオプティックマテリアルのボディをさらに有するエレメントと、
前記エレクトロオプティックマテリアルのボディの少なくとも一部に電場を生成するように位置決めされた第１の電極および第２の電極と、
前記エレメントの前記底面にあるアタッチメント領域と、
前記アタッチメント領域に配置され、上面と前記上面と対向する底面とを有する接着剤の薄膜とを有し、
前記エレクトロオプティックマテリアルの屈折率は印加された電場の関数であり、
前記薄膜の上面は前記アタッチメント領域において前記エレメントの前記底面と隣接しており、
前記コアマテリアルのボディから前記薄膜の前記底面までの距離は１００μｍ以下であることを特徴とする光カップラー。
【請求項９】
光モジュレータであって、
底面と、前記底面上に配置された下部クラッド層と、前記下部クラッド層の上に形成されたコア層と、前記コア層の上の上面とを有する光導波路と、
光カップラーとを有し、
前記光カップラーは、
上面、底面、第１の端面、第２の端面、前記第１と第２の端面の間の長さを有し、前記上面と底面の間に配置された前記長さ方向に伸びたエレクトロオプティックマテリアルのボディをさらに有するエレメントと、
前記エレクトロオプティックマテリアルのボディの少なくとも一部に電場を生成するように位置決めされた第１の電極および第２の電極と、
前記エレメントの前記底面にあるアタッチメント領域と、
前記アタッチメント領域に配置され、上面と前記上面と対向する底面とを有する接着剤の薄膜とを有し、
前記エレクトロオプティックマテリアルの屈折率は印加された電場の関数であり、
前記薄膜の上面は前記アタッチメント領域において前記エレメントの前記底面と隣接しており、
前記コアマテリアルのボディから前記薄膜の前記底面までの距離は１００μｍ以下であり、
前記光カップラーの前記接着剤の薄膜は前記光導波路の上面の第１の部分に貼り付けられていることを特徴とする光モジュレータ。
【手続補正書】
【提出日】平成19年12月10日(2007.12.10)
【手続補正１】
【補正対象書類名】特許請求の範囲
【補正対象項目名】全文
【補正方法】変更
【補正の内容】
【特許請求の範囲】
【請求項１】
表示領域と、前記表示領域を取り囲むシールライン領域と、前記シールライン領域の外側に形成された第１周辺領域と、前記表示領域と前記シールライン領域の一部との間に形成された第２周辺領域とを具備する表示パネルと、
前記シールライン領域のうち、前記第２周辺領域に隣接するシールライン領域に形成され、前記映像を表示する駆動信号を前記表示パネルに出力するゲート駆動部と、
ゲート駆動部上に形成され、前記表示パネルを基準として所定のパターンテーパ角度を有する有機膜と、
前記シールライン領域に形成された結合部材と、
前記有機膜上で前記第１周辺領域のうち、ゲート駆動部に隣接する第１周辺領域または前記第２周辺領域に形成され、前記結合部材を硬化させるために外部から提供される光を前記結合部材にガイドする反射部材と、
を含む表示装置。  
【請求項２】
前記反射部材は、前記表示パネルに対して所定傾きを有する反射膜で、前記所定傾きは前記所定のパターンテーパ角度であることを特徴とする請求項１記載の表示装置。
【請求項３】
前記所定のパターンテーパ角度は５０°以下であることを特徴とする請求項２記載の表示装置。
【請求項４】
前記表示パネルは、自然光を反射させる反射電極と、人工光を透過させる透明電極とを含み、前記反射部材は、前記反射電極を成す物質を含むことを特徴とする請求項２記載の表示装置。
【請求項５】
前記反射部材は、アイランド形態を有する複数の反射パターンであることを特徴とする請求項１記載の表示装置。
【請求項６】
前記表示パネルは、第１電極、第２電極及び第３電極を有するスイッチング素子を含み、
前記反射パターンは、前記第１電極を成す物質を含むことを特徴とする請求項５記載の表示装置。
【請求項７】
前記表示パネルは第１電極、第２電極及び第３電極を有するスイッチング素子を含み、
前記反射パターンは前記第２及び第３電極を成す物質を含むことを特徴とする請求項５記載の表示装置。
【請求項８】
前記表示パネルはスイッチング素子に接続されたゲートラインとデータラインとを含み、
前記ゲート駆動部は、
前記ゲートラインに接続され前記駆動信号を提供する第１回路部と、
前記第１回路部を駆動させる第２回路部と、  
前記第１及び第２回路部を駆動させる第２回路部と、
前記第１及び第２回路部を制御する制御信号を提供する配線部を含み、
前記結合部材は前記配線部と、前記第２回路部とをカバーすることを特徴とする請求項１記載の表示装置。
【請求項９】
前記第１回路部は、前記第２回路部から離間して配置されることを特徴とする請求項８記載の表示装置。
【請求項１０】
前記第１回路部は、前記第２回路部から２００μｍ以下の距離だけ離隔したことを特徴とする請求項９に記載の表示装置。
【請求項１１】
前記第１回路部は、前記第２回路部から５０μｍ以上の距離だけ離隔したことを特徴とする請求項１０に記載の表示装置。
【請求項１２】
前記第１回路部は、第１トランジスタ及び第２トランジスタを含み、
前記第１トランジスタは、前記第２トランジスタから離間して配置されることを特徴とする請求項８記載の表示装置。
【請求項１３】
表示領域を取り囲むシールライン領域の一部に形成されたゲート駆動部と、前記ゲート駆動部に隣接するシールライン領域に形成された反射部材を有する第１基板とを形成する段階と、
前記シールライン領域に結合部材を形成する段階と、
前記第１基板に対向するように第２基板を位置させる段階と、
前記第１基板と第２基板とを結合するために前記第１基板の背面で前記結合部材を硬化させるための紫外線を提供する段階を含み、
前記紫外線は前記反射部材によって反射されて前記ゲート駆動部上に位置する前記結合部材に提供されることを特徴とする表示装置の製造方法。
【請求項１４】
前記第１基板を形成する段階は、
絶縁基板上の前記表示領域に薄膜トランジスタを形成し、前記シールライン領域の一部に前記ゲート駆動部を形成する段階と、
前記絶縁基板全面に有機物質を蒸着する段階と、
前記有機物質をパターニングして前記ゲート駆動部の上部に所定のパターンテーパ角度を有する有機膜を形成する段階と、
前記表示領域に反射電極を形成し、前記ゲート駆動部に隣接する前記シールライン領域の前記有機膜上に前パターンテーパ角度に対応する傾きを有し前記反射電極を成す物質を含む反射部材を形成する段階と、
を含むことを特徴とする請求項１３記載の表示装置の製造方法。
【請求項１５】
前記第１基板を形成する段階は、
絶縁基板上の前記表示領域に第１電極、第２電極及び第３電極を有する薄膜トランジスタを形成し、
前記シールライン領域の一部に前記ゲート駆動部を形成し、
前記ゲート駆動部に隣接する前記シールライン領域に前記第１、第２及び第３電極のうち、いずれか１つの電極を成す物質を含む反射部材を形成することを特徴とする請求項１３記載の表示装置の製造方法。
【手続補正書】
【提出日】平成20年5月30日(2008.5.30)
【手続補正１】
【補正対象書類名】特許請求の範囲
【補正対象項目名】全文
【補正方法】変更
【補正の内容】
【特許請求の範囲】
【請求項１】
基板上に設けられた複数の発光素子によって構成された表示画像と背景画像を表示する表示画面と、
前記基板上に設けられ、外光を検出する光センサと、
前記光センサの出力に応じて、前記背景画像の輝度を制御するコントローラと、を有し、
前記光センサが検出した外光の照度が所定の値よりも低い場合と、前記所定の値以上の場合とで、前記背景画像の色を反転して表示することを特徴とする表示装置。
【請求項２】
基板上に設けられた複数の発光素子によって構成された表示画像と背景画像を表示する表示画面と、
前記基板上に設けられ、外光を検出する光センサと、
前記光センサの出力に応じて、前記背景画像の輝度を制御するコントローラと、を有し、
前記背景画像は、前記光センサが検出した外光の照度が所定の値よりも低い場合に白地を表示し、前記所定の値以上の場合に黒地を表示することを特徴とする表示装置。
【請求項３】
基板上に設けられた複数の発光素子によって構成された表示画像と背景画像を表示する表示画面と、
前記基板上に設けられ、外光を検出する光センサと、
前記光センサの出力に応じて、前記背景画像の輝度及び前記表示画像の輝度を制御するコントローラと、を有し、
前記背景画像は、前記光センサが検出した外光の照度が所定の値よりも低い場合に白地を表示し、前記所定の値以上の場合に黒地を表示し、
前記表示画像は、前記光センサが検出した外光の照度が所定の値よりも低い場合に黒を表示し、前記所定の値以上の場合に白を表示することを特徴とする表示装置。
【請求項４】
基板上に設けられた複数の発光素子によって構成された表示画像と背景画像を表示する表示画面と、
前記基板上に設けられ、外光を検出する光センサと、
前記光センサの出力に応じて、前記背景画像の輝度を制御する第１のコントローラと前記表示画像の輝度を制御する第２のコントローラを有し、
前記光センサが検出した外光の照度が所定の値よりも低い場合と、前記所定の値以上の場合とで、前記背景画像の色を反転して表示し、
前記光センサが検出した外光の照度が所定の値よりも低い場合と、前記所定の値以上の場合とで、前記表示画像の色を反転して表示することを特徴とする表示装置。
【請求項５】
請求項１乃至請求項４のいずれか一において、外光の照度が前記所定の値以上の場合の背景画像の画面輝度は、外光の照度が前記所定の値より低い場合の背景画像の画面輝度より小さいことを特徴とする表示装置。
【請求項６】
請求項１乃至請求項５のいずれか一において、外光の照度が前記所定の値以上の場合の表示画像の輝度は、外光の照度が前記所定の値より低い場合の表示画像の輝度より大きいことを特徴とする表示装置。
【請求項７】
基板上に設けられた複数の発光素子によって構成された表示画像と背景画像を表示する表示画面と、
前記基板上に設けられ、外光を検出する光センサと、
前記光センサの出力に応じて、前記背景画像の輝度を制御するコントローラと、を有し、
前記背景画像の画面輝度は、前記光センサが検出した外光の照度が所定の値よりも低い場合よりも前記所定の値以上の場合に小さく、
前記表示画像の画面輝度は、前記光センサが検出した外光の照度が所定の値よりも低い場合よりも前記所定の値以上の場合に大きいことを特徴とする表示装置。
【請求項８】
請求項１乃至請求項７のいずれか一において、前記所定の値は、３０００ルクスであることを特徴とする表示装置。
【請求項９】
請求項１乃至請求項８のいずれか一において、前記発光素子はマトリクス状に形成されていることを特徴とする表示装置。
【請求項１０】
請求項１乃至請求項９のいずれか一に記載の表示装置を有することを特徴とする電子機器。
【手続補正２】
【補正対象書類名】図面
【補正対象項目名】図２
【補正方法】変更
【補正の内容】
【図２】
2006091857.tif 000001
【手続補正書】
【提出日】平成20年7月1日(2008.7.1)
【手続補正１】
【補正対象書類名】明細書
【補正対象項目名】発明の名称
【補正方法】変更
【補正の内容】
【発明の名称】表示装置及び電子機器
【手続補正２】
【補正対象書類名】特許請求の範囲
【補正対象項目名】全文
【補正方法】変更
【補正の内容】
【特許請求の範囲】
【請求項１】
温度変化により抵抗値が変化する複数の発光素子で構成される画素部と、
前記画素部の面内の温度傾斜が発生し、前記複数の発光素子毎に温度差が生じると、温度が高い発光素子には印加する電圧を低くし、温度が低い発光素子には印加する電圧を高くする手段とを有することを特徴とする表示装置。
【請求項２】
列方向に複数配置された第１の信号線に信号を出力する第１の信号線駆動回路と、
行方向に複数配置された第２の信号線に信号を出力する第２の信号線駆動回路と、
前記第１の信号線の列方向と前記第２の信号線の行方向に対応してマトリクスに画素が配置された画素部とを有し、
前記画素は、第１の電極及び第２の電極を有する発光素子を有し、
前記画素の各行または複数行毎に、前記画素部の周辺に前記発光素子と並んで配置された、第１の電極及び第２の電極を有するモニター素子と、前記モニター素子の第１の電極に電気的に接続された電流源とを有し、前記モニター素子の第１の電極の電位に応じた電位が前記発光素子の第１の電極に与えられることを特徴とする表示装置。
【請求項３】
列方向に複数配置された第１の信号線に信号を出力する第１の信号線駆動回路と、
行方向に複数配置された第２の信号線に信号を出力する第２の信号線駆動回路と、
前記第１の信号線の列方向と前記第２の信号線の行方向に対応してマトリクスに画素が配置された画素部とを有し、
前記画素は、第１の電極及び第２の電極を有する発光素子を有し、
前記画素の各行または複数行毎に、前記画素部の周辺に前記発光素子と並んで配置された、第１の電極及び第２の電極を有し、互いに並列に接続された複数のモニター素子と、前記複数のモニター素子の第１の電極それぞれに電気的に接続された電流源とを有し、前記複数のモニター素子の第１の電極それぞれの電位に応じた電位が前記発光素子の第１の電極に与えられることを特徴とする表示装置。
【請求項４】
請求項２または３において、前記第１の信号線はソース信号線であり、前記第２の信号線はゲート信号線であることを特徴とする表示装置。
【請求項５】
請求項２乃至４のいずれか一において、前記モニター素子の第１の電極の電位に応じた電位が、アンプを介して前記第１のＥＬ素子の第１の電極に与えられることを特徴とする表示装置。
【請求項６】
請求項２乃至４のいずれか一において、前記モニター素子の第１の電極の電位に応じた電位が、アンプ及び薄膜トランジスタを介して前記第１のＥＬ素子の第１の電極に与えられることを特徴とする表示装置。
【請求項７】
請求項５または６において、前記アンプはボルテージフォロワ回路であることを特徴とする表示装置。
【請求項８】
請求項５乃至７のいずれか一において、前記画素部は複数の色要素でなる画素で構成され、前記モニター素子及び前記アンプは、前記色要素毎にそれぞれ設けられていることを特徴とする表示装置。
【請求項９】
請求項２乃至８のいずれか一において、前記モニター素子と前記発光素子はＥＬ素子であることを特徴とする表示装置。
【請求項１０】
請求項２乃至９のいずれか一において、前記モニター素子と前記発光素子は同一の材料で形成されていることを特徴とする表示装置。
【請求項１１】
列方向に複数配置されたカラム信号線に信号を出力するカラム信号線駆動回路と、
行方向に複数配置されたロウ信号線に信号を出力するロウ信号線駆動回路と、
前記カラム信号線の列方向と前記ロウ信号線の行方向に対応してマトリクスに画素が配置された画素部とを有し、
前記画素は、有機化合物を含む層が前記カラム信号線の一部でなる第１電極と、ロウ信号線の一部でなる第２電極とで挟まれた発光素子を有し、
前記画素の各行または複数行毎に、前記画素部の周辺に前記発光素子と並んで配置され、有機化合物を含む層が前記カラム信号線の一部でなる第１電極と、ロウ信号線の一部でなる第２電極とで挟まれたモニター素子と、前記モニター素子の第１の電極に電気的に接続された電流源とを有し、前記モニター素子の第１の電極の電位に応じた電位が前記発光素子の第１の電極に与えられることを特徴とするパッシブマトリクス型の表示装置。
【請求項１２】
請求項１１において、前記モニター素子の第１の電極の電位に応じた電位が、アンプを介して前記第１のＥＬ素子の第１の電極に与えられることを特徴とするパッシブマトリクス型の表示装置。
【請求項１３】
請求項１２において、前記アンプはボルテージフォロワ回路であることを特徴とするパッシブマトリクス型の表示装置。
【請求項１４】
請求項１２または１３において、前記画素部は複数の色要素でなる画素で構成され、前記モニター素子及び前記アンプは、前記色要素毎にそれぞれ設けられていることを特徴とするパッシブマトリクス型の表示装置。
【請求項１５】
請求項１１乃至１４のいずれか一において、前記モニター素子と前記発光素子はＥＬ素子であることを特徴とするパッシブマトリクス型の表示装置。
【請求項１６】
請求項１１乃至１５のいずれか一において、前記モニター素子と前記発光素子は同一の材料で形成されていることを特徴とするパッシブマトリクス型の表示装置。
【請求項１７】
請求項１乃至１６のいずれか一において、前記画素部は、熱伝導率が１０〜３００Ｗ／ｍＫである絶縁膜を介して第１の基板上に設けられていることを特徴とする表示装置。
【請求項１８】
請求項１７において、前記絶縁膜は窒化アルミニウムまたは窒化酸化アルミニウムを含むことを特徴とする表示装置。
【請求項１９】
請求項１乃至１８のいずれか一に記載の表示装置を表示部に備えていることを特徴とする電子機器。